(57)【要約】【課題】  網戸の框をサッシ枠に隠蔽しても網戸の着脱が容易に行える網戸の提供。【解決手段】  四周框組みした網戸框１と、網戸框１に張った網２とを備え、網戸框１は、対向する一対の框３，３に設けた伸縮部５，５と、伸縮部５，５を被うカバー６，６と、伸縮部６，６の伸縮を規制するストッパー２７を有する。【選択図】      図１
2011247074.tif 000002
【特許請求の範囲】
【請求項１】
四周框組みした網戸框と、網戸框に張った網とを備え、網戸框は、対向する一対の框に設けた伸縮部と、伸縮部を被うカバーと、伸縮部の伸縮を規制するストッパーを有することを特徴とする網戸。
【請求項２】
伸縮部は、対向する一対の框の長手方向中間部に設けてあることを特徴とする請求項１記載の網戸。
【請求項３】
伸縮部は、対向する一対の框の長手方向の一方の端部に設けてあることを特徴とする請求項１記載の網戸。
【請求項４】
カバーが伸縮部を被う位置にあるときにストッパーが働き、カバーを伸縮部から離すとストッパーが解除されることを特徴とする請求項１，２又は３記載の網戸。
【請求項５】
カバーとストッパーは、何れも内周側から操作自在であることを特徴とする請求項１，２，３又は４記載の網戸。
【請求項６】
カバーは、長手方向の一端部に設けた軸を支点に内周側に回動自在に設けてあり、カバーを内周側に回動したときに伸縮部が伸縮自在になることを特徴とする請求項１，２，３，４又は５記載の網戸。
【請求項７】
カバーは、内周側カバー部と外周側カバー部とを有し、内周側カバー部と外周側カバー部とで網の縁部を挟持しており、内周側カバー部のみを伸縮部から離すことで伸縮部が伸縮自在になることを特徴とする請求項１，２，３，４，５又は６記載の網戸。
【請求項８】
カバーに網押え部を有することを特徴とする請求項１，２，３，４，５，６又は７記載の網戸。
【請求項９】
請求項１〜８の何れかに記載の網戸と、サッシ枠とを備え、網戸框の全部又は一部が室内側正面視でサッシ枠に隠れていることを特徴とするサッシ。
【発明の詳細な説明】
【技術分野】
【０００１】
本発明は、網戸及びサッシに関する。
【背景技術】
【０００２】
特許文献１には、障子の室内側に網戸を配置した窓において、網戸の竪框をサッシ枠の内周側に開口した溝内に収納し、網戸の竪框が室内側から見えないようにしたものが記載されている。網戸は、上下の横框が長さ方向に伸縮可能に構成され、横框を縮めて網戸の幅を小さくすることで、網戸をサッシ枠から取り外せるようにしている。横框は、主横框２０と、主横框の端部に備えられる端部横框２１とを有し、端部横框２１が入子式に伸縮可能とされている。
上記特許文献１記載の網戸では、サッシ枠への着脱時に網戸の四隅にある端部横框２１を全て伸縮させる必要があり、操作する箇所が多いのと操作がしづらい箇所にあるのとで、その作業が非常に面倒である。また端部横框２１は、挿入部材３０と被挿入部材４０とを入子式に結合した構造になっており、挿入部材３０には網の縁部を保持する溝を有していないため（特許文献１の図７参照）、網の四隅部が框に固定されず、網に弛みが生じたり網が外れたりしやすい。
【先行技術文献】
【特許文献】
【０００３】
【特許文献１】特開２００７−１７７４３１号公報
【発明の概要】
【発明が解決しようとする課題】
【０００４】
本発明は以上に述べた実情に鑑み、網戸の框をサッシ枠に隠蔽しても網戸の着脱が容易に行える網戸及びサッシの提供を目的とする。
【課題を解決するための手段】
【０００５】
上記の課題を達成するために請求項１記載の発明による網戸は、四周框組みした網戸框と、網戸框に張った網とを備え、網戸框は、対向する一対の框に設けた伸縮部と、伸縮部を被うカバーと、伸縮部の伸縮を規制するストッパーを有することを特徴とする。
【０００６】
請求項２記載の発明による網戸は、請求項１記載の発明の構成に加え、伸縮部は、対向する一対の框の長手方向中間部に設けてあることを特徴とする。
【０００７】
請求項３記載の発明による網戸は、請求項１記載の発明の構成に加え、伸縮部は、対向する一対の框の長手方向の一方の端部に設けてあることを特徴とする。
【０００８】
請求項４記載の発明による網戸は、請求項１，２又は３記載の発明の構成に加え、カバーが伸縮部を被う位置にあるときにストッパーが働き、カバーを伸縮部から離すとストッパーが解除されることを特徴とする。
【０００９】
請求項５記載の発明による網戸は、請求項１，２，３又は４記載の発明の構成に加え、カバーとストッパーは、何れも内周側から操作自在であることを特徴とする。
【００１０】
請求項６記載の発明による網戸は、請求項１，２，３，４又は５記載の発明の構成に加え、カバーは、長手方向の一端部に設けた軸を支点に内周側に回動自在に設けてあり、カバーを内周側に回動したときに伸縮部が伸縮自在になることを特徴とする。
【００１１】
請求項７記載の発明による網戸は、請求項１，２，３，４，５又は６記載の発明の構成に加え、カバーは、内周側カバー部と外周側カバー部とを有し、内周側カバー部と外周側カバー部とで網の縁部を挟持しており、内周側カバー部のみを伸縮部から離すことで伸縮部が伸縮自在になることを特徴とする。
【００１２】
請求項８記載の発明による網戸は、請求項１，２，３，４，５，６又は７記載の発明の構成に加え、カバーに網押え部を有することを特徴とする。
【００１３】
請求項９記載の発明によるサッシは、請求項１〜８の何れかに記載の網戸と、サッシ枠とを備え、網戸框の全部又は一部が室内側正面視でサッシ枠に隠れていることを特徴とする。
【発明の効果】
【００１４】
請求項１記載の発明による網戸は、対向する一対の框に設けた伸縮部と、伸縮部を被うカバーと、伸縮部の伸縮を規制するストッパーを有しており、ストッパーを解除して対向する一対の框を伸縮部で伸縮させることで網戸の幅又は高さを容易に変化させられ、網戸框をサッシ枠に隠蔽しても網戸の着脱が容易に行える。
【００１５】
請求項２記載の発明による網戸は、伸縮部が対向する一対の框の長手方向中間部に設けてあることで、ストッパーを解除したり伸縮部を伸縮させたりする操作がしやすい。
【００１６】
請求項３記載の発明による網戸は、伸縮部が対向する一対の框の長手方向の一方の端部に設けてあることで、伸縮部を設けた框の全長を短くすることができ、幅の狭い網戸や高さの低い網戸にも対応することができる。また、框を両側で伸縮させるものよりも框の伸縮が容易である。
【００１７】
請求項４記載の発明による網戸は、カバーが伸縮部を被う位置にあるときにストッパーが働き、カバーを伸縮部から離すとストッパーが解除されるため、カバーの操作に付随して伸縮部の規制と解除がなされ、框の伸縮操作が容易に行える。
【００１８】
請求項５記載の発明による網戸は、カバーとストッパーが何れも内周側から操作自在であるため、網戸框がサッシ枠に隠れていても内周側からカバーやストッパーを操作して框を伸縮させることができる。
【００１９】
請求項６記載の発明による網戸は、カバーが長手方向の一端部に設けた軸を支点に内周側に回動自在に設けてあり、カバーを内周側に回動したときに伸縮部が伸縮自在になるので、網戸框がサッシ枠に隠れていても内周側からカバーを容易に操作でき、框の伸縮が一層容易になる。
【００２０】
請求項７記載の発明による網戸は、カバーが内周側カバー部と外周側カバー部とからなり、内周側カバー部と外周側カバー部とで網の縁部を挟持しているので、伸縮部の範囲で網が弛んだり外れたりするのを防止できる。また、内周側カバー部のみを伸縮部から離すことで伸縮部が伸縮自在になるため、網戸を着脱する際の框の伸縮操作が容易である。
【００２１】
請求項８記載の発明による網戸は、カバーに網押え部を有しているので、伸縮部の範囲で網がばたついたり弛みが生じたりするのを抑えられる。
【００２２】
請求項９記載の発明によるサッシは、網戸框の全部又は一部が室内側正面視でサッシ枠に隠れているため、採光面積を広くすることができ、しかも請求項１〜８の何れかに記載の網戸を用いているため、網戸の着脱が容易に行える。
【図面の簡単な説明】
【００２３】
【図１】網戸の室内側正面図であって、（ａ）はサッシ枠に取付けたときの状態、（ｂ）は横框の伸縮部を被う内周側カバー部を伸縮部から離した状態、（ｃ）は横框を伸縮部で縮めた状態を示している。
【図２】網戸の室内側正面図である。
【図３】図２のＡ−Ａ断面図である。
【図４】（ａ）は図２のＢ−Ｂ断面図であり、（ｂ）は図２のＣ−Ｃ断面図である。
【図５】網戸框への網の張り方を示す分解斜視図である。
【図６】網を張った状態での網戸の斜視図である。
【図７】サッシの縦断面図である。
【図８】サッシの横断面図である。
【図９】サッシの室内側正面図である。
【図１０】本発明の網戸の他の実施形態を示す室内側正面図であって、（ａ）は伸縮部が伸長した状態、（ｂ）は伸縮部が縮んだ状態を示す。
【図１１】伸縮部のカバーとストッパーの他の実施形態を示す網戸の室内側正面図であって、（ａ）は伸縮部が伸長した状態、（ｂ）は伸縮部が縮んだ状態を示す。
【図１２】伸縮部のカバーとストッパーのさらに別の実施形態を示す網戸の室内側正面図であって、（ａ）は伸縮部が伸長した状態、（ｂ）は伸縮部が縮んだ状態を示す。
【図１３】本発明の網戸の他の実施形態を示す室内側正面図であって、（ａ）は伸縮部が伸長した状態、（ｂ）は伸縮部を縮めた状態を示す。
【図１４】（ａ）は図１３の網戸の伸縮部の周辺を拡大して示す室内側正面図であり、（ｂ）は（ａ）のＡ−Ａ断面図、（ｃ）は（ａ）のＢ−Ｂ断面図、（ｄ）は（ａ）のＣ−Ｃ断面図である。
【発明を実施するための形態】
【００２４】
以下、本発明の実施の形態を図面に基づいて説明する。図７〜９は、本発明のサッシの一実施形態を示している。本サッシは、図７，８に示すように、躯体開口部に取付けたサッシ枠１０と、サッシ枠１０内に開閉自在に設けた障子１１と、サッシ枠１０内の障子１１の室内側に設けた網戸９とを備えている。本サッシは、高所用の縦滑り出し窓であり、障子１１は図示しないアームによりサッシ枠１０と連結され、図８に示すように、室内側から見て左側を支点に室外側に３０°程度回動しながら室外側にせり出して開くようになっている。障子１１の開閉操作は、竪枠１８の室内側に設けたオペレータ装置１３の操作ロープを操作することで行える。図中の符号１４は、額縁である。
【００２５】
網戸９は、上下の横框３，３と左右の竪枠４，４とを四周框組みした網戸框１に網２を張って形成してある。網戸框１は、図７，８に示すように、サッシ枠１０の開口部１５よりも外周側に配置され、室内側から見ると網戸框１はサッシ枠１０に隠れて見えないようになっている。網戸１は、図７に示すように、下枠１２に設けた係止部１６に下の横框３を係止すると共に、左右の竪框４，４の上部と下部に設けた固定具１７によりサッシ枠１０に固定している。固定具１７は、図２に示すように、竪框内周側のツマミ１７ａを上下に動かすことで見込み方向の軸１７ｂを支点に回動し、それに伴って竪框外周側に爪１７ｃが出没するものであり、図８に示すように、その爪１７ｃを竪枠１８の内周側面に設けた孔３８に係止することで網戸９をサッシ枠１０に固定している。  
【００２６】
障子１１は、図７，８に示すように、上下の横框２０，２０と左右の竪框１９，１９とを四周枠組みし、その内側にガラスパネル２１を嵌め込んで構成してある。障子の框１９，１９，２０，２０は、網戸框１と同様に、室内側から見るとサッシ枠１０に隠れて見えないようになっている。
【００２７】
網戸９は、上述のように室内側から見て網戸框１がサッシ枠１０に隠れているため、そのままでは室内側から着脱するのが容易ではないが、本網戸９は幅方向に伸縮可能となっており、網戸９の幅をサッシ枠１０の開口部１５の幅Ｗ以下に縮めることで、室内側から容易に着脱できるようにしている。
網戸９の横框３は、図２と図５に示すように、長手方向中間部に伸縮部５が設けてあり、伸縮部５はカバー６で被われている。伸縮部５を形成するために、横框３は長手方向中間部を切断し、切断された左右の横框３ａ，３ｂ間にガイドバー２２を設けてある。ガイドバー２２は、図３と図４（ａ），（ｂ）に示すように、一端部が切断された一方の横框３ａにビス２３で固定され、他端部にはスライド部２４が設けられ、スライド部２４が他方の横框３ｂの中空部２５内に挿入され、長手方向に摺動可能にガイドされている。
【００２８】
伸縮部５のカバー６は、図２〜４に示すように、内周側カバー部７と外周側カバー部８の二部材で構成してある。内周側カバー部７は、切断された左右の横框３ａ，３ｂの内周側面と室内側面とにまたがって設けてあり、長手方向の一端部が一方の横框３ａの室内側面にリベット２６で取付けてあり、リベット２６を支点に内周側に回動可能に設けてある。他方の横框３ｂの内周側面にはストッパー２７が設けてあり、内周側カバー部７が伸縮部５を被う状態で内周側カバー部７の先端がストッパー２７に当接することで伸縮部５を伸長した状態に規制し、さらにストッパー２７は、図３に示すように垂直軸２８回りに回動可能に設けてあり、内周側カバー部７の内周側にストッパー２７を係止することで、内周側カバー部７を内周側から横框３ａ，３ｂに押付けた状態で固定している。ストッパー２７を、図３中に仮想線で示すように垂直軸２８回りに室内側に回動させると、内周側カバー部７はリベット２６を支点に内周側に回動でき、それに伴って伸縮部５が伸縮自在になる。内周側カバー部７の室外側端部には、板状の網押え部２９を有している。外周側カバー部８は、切断された左右の横框３ａ，３ｂの外周側面と室外側面とにまたがって設けてあり、図４（ａ），（ｂ）に示すように、一端部が一方の横框３ａにビス３０で固定され、他端部には他方の横框３ｂの外周部に係合するガイド部３１が設けてある。切断された左右の横框３ａ，３ｂの室外側面には、図５，６に示すように、カバー材３２，３２が取付けてある。
図２に示すように、内周側カバー部７で伸縮部５を被いストッパー２７を掛けると、伸縮部５は伸長した状態で固定される。図１（ｂ）に示すように、ストッパー２７を外して内周側カバー部７を内周側に回動させると、横框３は伸縮部５で伸縮自在になる。
【００２９】
網２は、図４，５に示すように、上下の縁部に沿って厚肉部３３が設けてある。厚肉部３３は、スライドファスナーの片方を利用したもので、ファスナーエレメント３３ａを外側に向けた状態でファスナーのテープ部３３ｂを網２に溶着等で固定している。網２の左右の縁部は、図３に示すように、左右の竪框４，４に形成された溝３４，３４に網押えロープ３５，３５を介して押し込んである。網２の上下の縁部は、横框３の伸縮部５を除く部分については、図４（ｂ）に示すように、横框３ａ，３ｂの室外側面に形成された突起３６とカバー材３２とで網２の厚肉部３３を挟み込んで保持しており、伸縮部５の範囲については、図４（ａ）に示すように、内周側カバー部７の網押え部２９と外周側カバー部８とで網２の厚肉部３３を挟持している。しかも、網押え部２９の先端部に網２の厚肉部３３のファスナーエレメント３３ａが係止することで、網２が外れるのを確実に防止できる。以上に述べたように、網２は全周に亘って網戸框１に固定されている。
【００３０】
次に、網戸９をサッシ枠１０から外すときの手順を説明する。まず、図１（ａ）に示すように、横框３，３の内周側カバー部７，７を止めているストッパー２７，２７を回して解除する。次に、図１（ｂ）に示すように、内周側カバー部７，７を内周側に回動させる。次に、図１（ｃ）に示すように、竪框４，４の固定具１７の爪１７ｃを引っ込めてから、横框３，３を伸縮部５，５で縮める。すると、網戸９の幅Ｗ１がサッシ枠１０の開口部１５の幅Ｗよりも小さくなるので、網戸９を少し持ち上げつつ室内外方向に傾けるようにしながら、サッシ枠１０の開口部１５より室内側に引き出す。
逆に網戸９をサッシ枠１０に取付ける場合は、図１（ｃ）に示すように幅を縮めた状態で、網戸９を室内側から上下枠３７，１２間にけんどん式に納め、下枠１２の係止部１６に下の横框３を係止させる。その後、上下の横框３，３を伸縮部５，５で伸ばしてから内周側カバー部７，７を回動させて伸縮部５，５を被い、内周側カバー部７，７をストッパー２７，２７で固定する。その後、固定具１７により竪框４，４を竪枠１８，１８に固定する。
【００３１】
以上に述べたように本サッシは、室内側から見て網戸框１がサッシ枠１０に隠れて見えないので、採光面積が広くすっきりした内観となっており、しかも網戸９の幅を伸縮可能としたことで室内側から容易に網戸９の着脱が行える。網戸９は、横框３，３の長手方向中間部に伸縮部５，５を設け、ストッパー２７を解除して内周側カバー部７，７を内周側に回動することで横框３，３が伸縮自在になるため、長手方向端部で伸縮させるものと比べて伸縮操作が容易である。さらに、内周側カバー部７，７を内周側に回動可能に設けたので、横框３，３が上枠３７と下枠１２に隠れていても内周側から容易に内周側カバー部７，７を操作でき、ストッパー２７の操作も内周側から容易に行える。また、網２の左右縁部が全長に亘って竪框４，４に網押えロープ３５，３５で固定してあり、網２の上下縁部も伸縮部５の範囲を除いて横框３ａ，３ｂにカバー材３２，３２で押えて固定されているため、横框３，３が伸長するのに伴って網２が両側に確実に引っ張られるので、網２を弛みが生じないようにしっかり張ることができる。さらに、網２の上下縁部にはスライドファスナーを利用した厚肉部３３が設けてあり、横框３の伸縮部５以外の部分３ａ，３ｂはカバー材３２，３２で厚肉部３３を押えてあり、伸縮部５においては内周側カバー部７の網押え部２９と外周側カバー部８とで厚肉部３３を挟持しているので、網２の上下縁部が全長に亘って均等に保持され、網２が外れたりシワが発生したりするのを防止できる。また、内周側カバー部７の網押え部２９の先端部に網２の上下縁部に設けた厚肉部３３のファスナーエレメント３３が係止するため、内周側カバー部７を回動して伸縮部５に被せるときに網２を上下方向に張る作用があり、且つ網２が外れるのを確実に防止できる。さらに、内周側カバー部７を内周側に回動し、外周側カバー部８とカバー材３２，３２を外せば、網２の上下縁部が全長にわたって露出するので、網２の張替えが簡単に行える。伸縮部５がカバー６で被われているため、意匠性が良い。
【００３２】
図１０は、本発明の網戸９の他の実施形態を示している。網戸９の横框３は、一方の横框３ａと他方の横框３ｂとに分割して構成し、一方の横框３ａに他方の横框３ｂへの差込部３９を設け、差込部３９を他方の横框３ｂに差込むことで横框３の長手方向中間部に伸縮部５を設けてある。カバー６は、一端部を一方の横框３ａに固定して設けてあり、図１０（ａ）に示すように、カバー６の他端部をネジ４０で他方の横框３ｂの内周側面に止めることで、伸縮部５を伸長した状態で固定できるようにしている。カバー６には、ネジ４０の挿通穴４１が横框の長手方向に沿う長孔状に設けてあり、ネジ４０を緩めることで他方の框３ｂがカバー６に対して長手方向にスライド可能となり、図１０（ｂ）に示すように、伸縮部５を縮めることができる。カバー６は、一方の横框３ａと別体で形成してもよいが、一方の横框３ａと一体で形成することもできる。本実施形態によれば、伸縮部５をカバー６で被ったままの状態で伸縮部５を伸縮できる。
【００３３】
図１１は、伸縮部５のカバー６とストッパーの他の実施形態を示している。カバー６は、一端部を一方の横框３ａの室内側面にリベット２６で取付け、内周側に回動自在に設けてあり、カバー６の他端部に係止爪４２を外周側に突出して有しており、図１１（ａ）に示すように、カバー６で伸縮部５を被い、係止爪４２を他方の横框３ｂの内周側面に形成した係止孔４３に係止することで、伸縮部５を伸長した状態に規制し、且つカバー６が勝手に内周側に回動しないように固定している。図１１（ｂ）に示すように、係止爪４２を係止孔４３から抜き、カバー６を内周側に回動すると、伸縮部５が伸縮自在になる。本実施形態によれば、ストッパーをカバー６と別個に設ける必要がなく、ストッパーを操作する必要もない。
【００３４】
図１２は、伸縮部５のカバー６とストッパーのさらに別の実施形態を示している。カバー６は、一端部を一方の横框３ａの室内側面にリベット２６で取付け、内周側に回動自在に設けてあり、カバー６の室外側端部を外周側に折り返してストッパー兼網押え部４４を設けてあり、図１２（ａ）に示すように、ストッパー兼網押え部４４を左右の横框３ａ，３ｂ間に嵌合することで、伸縮部５を伸長した状態に規制している。図１２（ｂ）に示すように、カバー６を内周側に回動すると、ストッパー兼網押え部４４が左右の横框３ａ，３ｂ間から抜けるため、伸縮部５が伸縮自在になる。本実施形態においても、図１１に示すようにカバー６に係止爪４２を設けたり、図２に示すように他方の横框３ｂの内周側にストッパー２７をさらに設けてもよい。左右の横框３ａ，３ｂ間に嵌合するストッパーを、網押え部と別に設けることもできる。
【００３５】
図１３，１４は、本発明の網戸９のさらに別の実施形態を示している。本実施形態の網戸９は、図１３に示すように、上下の横框３，３の室内側から見て右側の端部に伸縮部５が設けられ、伸縮部５がカバー６で被ってある。伸縮部５を形成するために、左側の竪框４に連結した横框３ａは網戸９の幅方向の中間部で切断され、その先端部に樹脂製のキャップ４５を取付けてあり、右側の竪框４の上下端部にはガイドバー２２がビス２３で取付けられ、ガイドバー２２を左側の横框３ａのキャップ４５に挿入してガイドしてある。
カバー６は、内周側カバー部７と外周側カバー部８とからなり、内周側カバー部７は、右側の端部に設けた軸４６を支点に内周側に回動可能に設けてある。内周側カバー部７は、図１４（ｄ）に示すように、外周側が開放した略コ字形断面となっており、室外側にストッパー兼網押え部４４を有し、図１４（ａ）に示すように内周側カバー部７を横向きに倒すと、ストッパー兼網押え部４４の左側の縁部が左側の横框３ａのキャップ４５に当接し、伸縮部５が伸長した状態で規制される。また、内周側カバー部７の左側の端部内面には、図１４（ｃ）に示すようにストッパー爪４７が形成してあり、ストッパー爪４７をキャップ４５に設けた溝４８に係止することで、内周側カバー部７が勝手に内周側に回動しないようにしている。外周側カバー部８は、図１４に示すように、室外側壁８ａと外周側壁８ｂとを有する略Ｌ形断面に形成され、室外側壁８ａと内周側カバー部７のストッパー兼網押え部４４とで、網２の上下の縁部に設けた厚肉部３３を挟持している。外周側カバー部８の左側の端部には、左側の横框３ａと長手方向に摺動可能に係合する係合部４９が設けてあり、右側の端部には、竪框４の上下端部に嵌合する嵌合部５０が設けてあり、嵌合部５０を竪框４の上下端部に嵌合させた上でガイドバー２２に螺入するビス５１で固定してある。
【００３６】
本実施形態の網戸９も、図１３（ｂ）に示すように、内周側カバー部７を内周側に回動させるだけで、ストッパーが解除されて上下の横框３，３の伸縮部５が伸縮自在になり、網戸９の幅を縮めて室内側から網戸９を容易に着脱できる。また、図１３（ａ）に示すように、伸縮部５を伸長させて内周側カバー部７を横向きに倒せば、伸縮部５が縮まないように規制される。このとき、内周側カバー部７のストッパー兼網押え部４４と外周側カバー部８の室外側壁８ａとで網２の縁部を挟持しているため、網２が外れるのを防止できる。本実施形態のように、伸縮部５を横框３，３の一方の端部に設けると、片方の竪框４にだけ横框３ａを連結して設け、もう片方の竪框４には横框３ｂを連結して設ける必要がないため、その分だけ横框３，３の全長を短くすることができ、幅の狭い網戸９にも対応することができる。
【００３７】
本発明は以上に述べた実施形態に限定されない。網戸框１の伸縮部５は、框３の長手方向中間部や一方の端部で伸縮するように設けてあればよく、伸縮部５の具体的な構造は問わない。伸縮部５は、例えば２本の框材を入子式に連結したものや、尺取虫のように内周側に折れ曲って伸縮するものでもよい。伸縮部のカバー６は、内周側に回動自在に設けたものに限らず、長手方向にスライド可能に設けたものや着脱自在に設けたもの等でもよい。またカバー６は、必ずしも伸縮部５の全体を被っていなくてもよい。外周側カバー部８は省略することもできる。横框３ａ，３ｂにカバー材３２を取付ける代わりに、網押えロープ３５を横框３ａ，３ｂまで延長し、網押えロープ３５により網２の上下縁部を横框３ａ，３ｂに固定することもできる。網戸９は、左右の竪框４，４の長手方向中間部や一方の端部に伸縮部５を設け、高さ方向に伸縮可能とすることもできる。網戸框１は、必ずしも全部がサッシ枠１０に隠れていなくてもよく、例えば竪框４，４のみがサッシ枠１０に隠れるものでもよい。本発明の網戸は、突き出し窓、外倒し窓等、特に障子の室内側に網戸を配置する場合に好適であるが、窓の種類には特に限定されず、あらゆる窓に利用できる。
【符号の説明】
【００３８】
１  網戸框
２  網
３  横框
４  竪框
５  伸縮部
６  カバー
７  内周側カバー部
８  外周側カバー部
９  網戸
１０  サッシ枠
２７  ストッパー
２９  網押え部
４０  ネジ（ストッパー）
４２  係止爪（ストッパー）
４４  ストッパー兼網押え部
【図１】
2011247074.tif 000003
【図２】
2011247074.tif 000004
【図３】
2011247074.tif 000005
【図４】
2011247074.tif 000006
【図５】
2011247074.tif 000007
【図６】
2011247074.tif 000008
【図７】
2011247074.tif 000009
【図８】
2011247074.tif 000010
【図９】
2011247074.tif 000011
【図１０】
2011247074.tif 000012
【図１１】
2011247074.tif 000013
【図１２】
2011247074.tif 000014
【図１３】
2011247074.tif 000015
【図１４】
2011247074.tif 000016